(57)【要約】【課題】本実施形態は、筐体内の各部屋から水を排出することができ、筐体内のレイアウトの自由度を高めることができる電子機器筐体を提供することである。【解決手段】内部を上下方向に４つの部屋（第１の部屋２ａ〜第４の部屋２ｄ）に分割した筐体本体１ａの側壁６における上下の部屋間（第１の部屋２ａと第２の部屋２ｂとの間、第２の部屋２ｂと第４の部屋２ｄとの間、第３の部屋２ｃと第４の部屋２ｄとの間）の仕切り部３と対応する部分に上の部屋の水抜き用の水抜き穴８を設けている。前記水抜き穴８は、前記仕切り部３の上下の部屋間を跨ぐ状態で形成されている。【選択図】図３
2014045079.tif 000002
【特許請求の範囲】
【請求項１】
内部を少なくとも上下方向に複数の部屋に分割した筐体本体の側壁における上下の部屋間の仕切り部と対応する部分に前記上の部屋の水抜き用の水抜き穴を設け、
前記水抜き穴は、前記仕切り部の上下の部屋間を跨ぐ状態で形成されていることを特徴とする電子機器筐体。
【請求項２】
前記仕切り部は、両端に下向きに折り曲げられた折り曲げ部を有する棚板によって形成され、
前記水抜き穴は、前記仕切り部の下の部屋側の開口部分が前記棚板の前記折り曲げ部によって閉塞されている
ことを特徴とする請求項１に記載の電子機器筐体。
【請求項３】
前記筐体本体は、前記水抜き穴の上側に前記水抜き穴から前記各部屋の内部に雨水が浸入することを防止する雨除けが形成されている
ことを特徴とする請求項１に記載の電子機器筐体。
【請求項４】
前記筐体本体の最下段の部屋は、床面と前記側壁との間の接合部に形成された切欠部によって前記水抜き穴が形成されている
ことを特徴とする請求項１に記載の電子機器筐体。
【請求項５】
前記筐体本体の最下段の部屋は、床面よりも下側に延出された脚部を有し、
前記水抜き穴は、前記最下段の部屋の床面の上側の側壁と前記脚部との間を跨ぐ状態で形成されている
ことを特徴とする請求項１に記載の電子機器筐体。
【発明の詳細な説明】
【技術分野】
【０００１】
本発明の実施形態は、電子機器筐体に関する。
【背景技術】
【０００２】
内部に電子機器が設置されている電子機器筐体を屋外に設置する場合、雨天時の筐体の開閉で筐体内に水が浸入したり、結露で筐体内に水滴が発生したりした際に、その水が原因となって筐体内の装置で短絡が起こることを防ぐために、筐体の底面に水抜き穴を設け、筐体内に水が溜まらないようにしている。
【０００３】
電子機器の筐体では、筐体の内部に棚等の仕切りを設け、筐体内をいくつかの部屋に分割することが行なわれている。この場合、水抜き穴を設けた筐体の底面まで水が移動する構造にしなければ、筐体内に水が溜まるという問題が生じる。
【０００４】
そこで、筐体の内部を複数の部屋に仕切った場合には各部屋の底面に水抜き穴を設けることが行なわれている。この場合、上側の部屋の底面の水抜き穴から下側の部屋に水が移動する際に、上側の部屋の底面の水抜き穴から下側の部屋に移動していく水が飛び跳ねる等して短絡を起こさないよう配慮する必要がある。
【先行技術文献】
【特許文献】
【０００５】
【特許文献１】特開平８−３０７０７０号公報
【発明の概要】
【発明が解決しようとする課題】
【０００６】
例えば、最上部の部屋内に発生した水は、筐体外へ通じる水抜き穴がある最下部の部屋まで水が移動しないと筐体外へ水を排出できない。水が移動する際は、最上部の部屋の底面の水抜き穴から、その下側の部屋に移動してきた水が下側の部屋内に設置されている装置に触れ、短絡することが無いように配慮する必要がある。
【０００７】
また、電子機器筐体では、停電時に補助電源に切替えて筐体内に設置されている電子機器の運転が停止しないようにする場合がある。このような場合は筐体内に補助電源として例えば、充電時に水素を発生する鉛蓄電池を設置する可能性がある。この場合は、鉛蓄電池を設置した部屋に通風孔を設けることに加え、発生した水素が他の部屋に流入して充満しないように、鉛蓄電池を設置した部屋を他の部屋と隔離する必要がある。
【０００８】
しかしながら、筐体内が複数の部屋に分かれている場合に各部屋の水抜きのためには筐体の最下部の部屋の底面まで水を移動させる必要があるため、水抜き穴のある筐体の底面まで各部屋がつながっている必要がある。そのため、筐体の内部に他の部屋と隔離する部屋を設けることが難しいので、筐体内のレイアウトの自由度が低く、補助電源として充電時に水素を発生する鉛蓄電池などを筐体内に設置することが困難であった。
【０００９】
本実施形態は上記事情に着目してなされたもので、筐体内の各部屋から水を排出することができ、筐体内のレイアウトの自由度を高めることができる電子機器筐体を提供することにある。
【課題を解決するための手段】
【００１０】
実施形態は、内部を少なくとも上下方向に複数の部屋に分割した筐体本体の側壁における上下の部屋間の仕切り部と対応する部分に上の部屋の水抜き用の水抜き穴を設けている。前記水抜き穴は、前記仕切り部の上下の部屋間を跨ぐ状態で形成されている。
【図面の簡単な説明】
【００１１】
【図１】第１の実施の形態の電子機器筐体の全体の概略構成を示す縦断面図。
【図２】第１の実施の形態の電子機器筐体における外壁の水抜き穴を示す正面図。
【図３】図２のＩＩＩ−ＩＩＩ線断面図。
【図４】第１の実施の形態の電子機器筐体における外壁の最下段の部屋の水抜き穴を示す要部の縦断面図。
【図５】第１の実施の形態の電子機器筐体における外壁の最下段の部屋の水抜き穴の変形例を示す要部の縦断面図。
【図６】第２の実施の形態の電子機器筐体における外壁の水抜き穴を示す要部の縦断面図。
【図７】第２の実施の形態の電子機器筐体の水抜き穴の変形例を示す正面図。
【図８】図７のＶＩＩＩ−ＶＩＩＩ線断面図。
【発明を実施するための形態】
【００１２】
［第１の実施の形態］  
（構成）  
図１乃至図４は、第１の実施の形態を示す。図１は、電子機器筐体１の全体の概略構成を示す縦断面図である。本実施の形態の電子機器筐体１は、箱型の筐体本体１ａを有する。この筐体本体１ａの内部には複数、本実施の形態では４つの部屋（第１の部屋２ａ〜第４の部屋２ｄ）が分割形成されている。ここで、第１の部屋２ａは、図１中で筐体１内の左上に配置されている。第２の部屋２ｂは、第１の部屋２ａの下に配置され、第３の部屋２ｃは、第１の部屋２ａおよび第２の部屋２ｂの右側に配置されている。第４の部屋２ｄは、第２の部屋２ｂおよび第３の部屋２ｃの下側に配置されている。
【００１３】
筐体本体１ａ内の上下の各部屋間（第１の部屋２ａと第２の部屋２ｂとの間、第２の部屋２ｂと第４の部屋２ｄとの間、第３の部屋２ｃと第４の部屋２ｄとの間）の仕切り部３は、図２および図３に示す棚板４によって形成されている。棚板４は、両端に下向きに折り曲げられた折り曲げ部５が形成されている。さらに、筐体本体１ａの側壁６の内面には、棚板保持用の突起部７が形成されている。そして、棚板４の両側は、折り曲げ部５が突起部７に載せられた状態で、折り曲げ部５が側壁６の内面に例えばスポット溶接されて固定されている。
【００１４】
また、筐体本体１ａの側壁６には、図１に示すように上下の部屋間の仕切り部３と対応する部分、すなわち第１の部屋２ａと第２の部屋２ｂとの間、第２の部屋２ｂと第４の部屋２ｄとの間、第３の部屋２ｃと第４の部屋２ｄとの間に上の部屋の水抜き用の水抜き穴８がそれぞれ形成されている。
【００１５】
図２は、第１の部屋２ａと第２の部屋２ｂとの間の水抜き穴８を示す。この水抜き穴８は、上下方向に長い長丸穴形状に形成されている。さらに、水抜き穴８は、図３に示すように仕切り部３の上下の部屋間を跨ぐ状態で形成されている。そして、水抜き穴８は、仕切り部３の下の部屋（図２、図３では第２の部屋２ｂ）側の開口部分が棚板４の折り曲げ部５によって閉塞されている。これにより、第１の部屋２ａの内部の水は、第１の部屋２ａと第２の部屋２ｂとの間の水抜き穴８から筐体本体１ａの外部に排水することができる。同様に、第２の部屋２ｂの内部の水は、第２の部屋２ｂと第４の部屋２ｄとの間の水抜き穴８から筐体本体１ａの外部に排水することができる。また、第３の部屋２ｃの内部の水は、第３の部屋２ｃと第４の部屋２ｄとの間の水抜き穴８から筐体本体１ａの外部に排水することができる。
【００１６】
なお、本実施の形態では長丸穴形状の水抜き穴８の例を示したが、水抜き穴８の形状はこれに限定されるものではなく、丸型や、矩形状、スリット形状などでもよい。さらに、水抜き穴８の数も各部屋に１個であってもよく、また必要に応じて複数個形成してもよい。
【００１７】
また、図４に示すように筐体本体１ａの最下段の部屋（本実施の形態では第４の部屋２ｄ）は、床面９と側壁６との間の接合部に形成されたＬ字状の切欠部１０によって前記水抜き穴８が形成されている。そして、第４の部屋２ｄの内部の水は、床面９と側壁６との間の水抜き穴８から筐体本体１ａの外部に排水することができる。
【００１８】
（作用・効果）  
本実施の形態の電子機器筐体１では、筐体本体１ａの側壁６に上下の部屋間の仕切り部３と対応する部分、すなわち第１の部屋２ａと第２の部屋２ｂとの間、第２の部屋２ｂと第４の部屋２ｄとの間、第３の部屋２ｃと第４の部屋２ｄとの間に上の部屋の水抜き用の水抜き穴８がそれぞれ形成されている。これにより、筐体本体１ａ内が仕切り部３で複数の部屋に分かれていても、各部屋の内部の水を各部屋の側壁６の水抜き穴８から直接、排水することができる。したがって、筐体本体１ａの上側の部屋の水を排水する際に下側の部屋を経由する必要がないので、上の部屋から、その下側の部屋に移動してきた水が下側の部屋内に設置されている装置に触れ、短絡する危険性をなくすことができる。
【００１９】
また、水抜き穴８は、仕切り部３の上下の部屋間を跨ぐ状態で形成され、水抜き穴８は、仕切り部３の下の部屋（図２、図３では第２の部屋２ｂ）側の開口部分が棚板４の折り曲げ部５によって閉塞されている。これにより、棚板４を設置する際に棚板４の位置が上下にずれても水抜き穴８の最下部が棚板４の床面４ａよりも高くなることが無く、水抜き穴８が棚板４の床面４ａよりも高い位置になってしまい筐体本体１ａ内に水が溜まるということが生じない。さらに、水抜き穴８は、仕切り部３の下の部屋（図２、図３では第２の部屋２ｂ）側の開口部分が棚板４の折り曲げ部５によって閉塞されているので、筐体本体１ａの外部の水が水抜き穴８から仕切り部３の下の部屋（図２、図３では第２の部屋２ｂ）側に流入するおそれがない。
【００２０】
したがって、本実施の形態の電子機器筐体１では、筐体本体１ａ内が仕切り部３で複数の部屋に分かれていても、各部屋の内部の水を各部屋の側壁６の水抜き穴８から直接、水抜きを行えるため、従来考慮していた水の移動経路を検討する必要がなくなる。そのため、筐体本体１ａの内部のレイアウトの自由度が上がるので、例えば筐体本体１ａの上部の部屋を他の部屋と隔離することが可能になる。これにより、例えば、充電時に水素を発生する鉛蓄電池を電子機器筐体１内に設置する場合であっても発生した水素が他の部屋に流入して充満しないように、鉛蓄電池を設置した部屋を他の部屋と隔離することができる。
【００２１】
［第１の実施の形態の変形例］  
図５は、第１の実施の形態の電子機器筐体１における最下段の部屋（第４の部屋２ｄ）の側壁６の水抜き穴８の変形例を示す。本変形例では、筐体本体１ａの最下段の第４の部屋２ｄは、棚板１１の床面１１ａよりも下側に延出された脚部１２を有する。この脚部１２は、筐体本体１ａの側壁６の下端部を棚板１１の床面１１ａよりも下側に延出させたものである。そして、水抜き穴８は、最下段の第４の部屋２ｄの床面１１ａの上側の側壁６と脚部１２との間を跨ぐ状態で形成されている。本変形例でも第４の部屋２ｄの内部の水は、第４の部屋２ｄの床面１１ａの上側の側壁６と脚部１２との間の水抜き穴８から筐体本体１ａの外部に排水することができる。
【００２２】
［第２の実施の形態］  
（構成）  
図６は、第２の実施の形態を示す。本実施の形態は、第１の実施の形態（図１乃至図４参照）の電子機器筐体１の一部を変更した変形例である。そのため、図６中で、図１乃至図４と同一部分には同一の符号を付してその説明を省略する。
【００２３】
本実施の形態は、筐体本体１ａの側壁６の水抜き穴８の上側に水抜き穴８から前記各部屋の内部に雨水が浸入することを防止する雨除け２１を設けている。本実施の形態では、筐体本体１ａの側壁６の水抜き穴８の上側部分に側壁６の外側に水抜き穴８をカバーするように延出された円弧状断面のルーバ等の雨除け２１が一体的に形成されている。ここで、雨除け２１の外端部は側壁６の外側に適宜の距離離れた位置に配置され、かつ雨除け２１の下端部は、水抜き穴８の下端部の位置よりも下側に延出されていることが好ましい。
【００２４】
（作用・効果）  
本実施の形態でも筐体本体１ａの側壁６の水抜き用の水抜き穴８によって第１の実施の形態と同様の効果が得られる他、本実施の形態の電子機器筐体１では、筐体本体１ａの側壁６の水抜き穴８の上側の雨除け２１によって雨や、筐体本体１ａの側壁６の外壁面を伝ってきた水滴が水抜き穴８から筐体本体１ａ内に入ること（水の逆流）を防ぐことが出来る。
【００２５】
［第２の実施の形態の変形例］  
（構成）  
図７および図８は、第２の実施の形態の変形例を示す。本変形例は、第２の実施の形態の雨除け２１を筐体本体１ａの側壁６とは別体に形成した雨除け３１を設けたものである。本変形例の雨除け３１は、筐体本体１ａの側壁６における水抜き穴８の上側部分に固定されるの上側部分３１ａと、この上側部分３１ａの下端部から図８中で斜め下向きに屈曲状態で延出された下側屈曲部分３１ｂとを有する。下側屈曲部分３１ｂの先端部は、側壁６の外側に適宜の距離離れた位置に配置され、かつ仕切り部３の棚板４の床面４ａの位置よりも下側に水抜き穴８をカバーするように延出されていることが好ましい。
【００２６】
（作用・効果）  
本変形例でも筐体本体１ａの側壁６とは別体に形成した雨除け３１によって雨や、筐体本体１ａの側壁６の外壁面を伝ってきた水滴が水抜き穴８から筐体本体１ａ内に入ること（水の逆流）を防ぐことが出来る。
【００２７】
これらの実施形態によれば、筐体内の各部屋から水を排出することができ、筐体内のレイアウトの自由度を高めることができる電子機器筐体を提供することができる。
【００２８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２９】
１ａ…筐体本体、２ａ…第１の部屋、２ｂ…第２の部屋、２ｃ…第３の部屋、２ｄ…第４の部屋、３…仕切り部、６…側壁、８…水抜き穴。
【図１】
2014045079.tif 000003
【図２】
2014045079.tif 000004
【図３】
2014045079.tif 000005
【図４】
2014045079.tif 000006
【図５】
2014045079.tif 000007
【図６】
2014045079.tif 000008
【図７】
2014045079.tif 000009
【図８】
2014045079.tif 000010